(57)【要約】【課題】圧縮機の高圧圧力に応じて、能力可変型圧縮機又は複数台の能力一定型圧縮機の組合せから制御され、冷媒循環量を減少させることにより、高圧上昇による保護回路の停止動作を少なく制御する多室形空気調和機の制御方法を提供する。【解決手段】能力可変型圧縮機もしくは複数台の能力一定型圧縮機と、四方弁、室外熱交換器、膨脹弁を備えた室外ユニットと、室内熱交換器を備えた複数の室内ユニットとを接続して冷媒回路を構成し、室内ユニットの運転状況に応じて、圧縮機の運転能力を可変し、冷媒回路内の冷媒循環量を制御してなる多室形空気調和機において、圧縮機の吐出側の圧力を検出する吐出圧力センサと、冷媒循環量の減少量を選択する選択スイッチを設け、冷房運転時に、吐出圧力検出手段が検出した高圧圧力ＰＨが予め設定した設定圧力ＰＨ１  以上に達した時、圧縮機の能力を下げ、冷媒循環量を選択した所定量減少させるよう制御する。【選択図】  図５
2004170032.tif 000002
【特許請求の範囲】
【請求項１】
少なくとも１台の能力可変型圧縮機もしくは並列に接続された複数台の能力一定型圧縮機と、四方弁と、室外熱交換器と、膨脹弁を備えた室外ユニットと、室内熱交換器と絞り機構を備えた複数の室内ユニットとを接続して冷媒回路を構成し、前記室内ユニットの運転状況に応じて、前記圧縮機の運転能力を可変し、前記冷媒回路内の冷媒循環量を制御してなる多室形空気調和機において、
前記圧縮機の吐出側の圧力を検出する吐出圧力検出手段と、前記冷媒循環量の減少量を予め複数のランクに分け、その減少量を任意に選択できる選択スイッチを設け、冷房運転時に、前記吐出圧力検出手段が検出した高圧圧力が予め設定した設定圧力以上に達した時、前記圧縮機の能力を下げ、冷媒循環量を現在の循環量から、前記選択スイッチで選択した減少分減少させるよう制御してなることを特徴とする多室形空気調和機の制御方法。
【請求項２】
前記吐出圧力検出手段に、圧力センサまたは圧力スイッチを用いてなることを特徴とする請求項１記載の多室形空気調和機の制御方法。
【請求項３】
前記選択スイッチをリモコンにより切換え選択してなることを特徴とする請求項１記載の多室形空気調和機の制御方法。
【請求項４】
前記複数台の能力一定型圧縮機は、夫々容量が異なることを特徴とする請求項１記載の多室形空気調和機の制御方法。
【発明の詳細な説明】
【０００１】
【発明の属する技術分野】
本発明は、室外ユニットと複数台の室内ユニットからなる多室形空気調和機の制御方法に係わり、より詳しくは、圧縮機の高圧圧力に応じて、冷媒循環量を可変し、高圧保護回路の動作を少なくなるよう制御する制御方法に関する。
【０００２】
【従来の技術】
従来より部屋数の多いビルディング等では、複数の室内ユニットを有する多室型（マルチタイプ）の空気調和機が用いられ、多室形空気調和機の室内ユニットの運転状況（台数、負荷変動）に応じて、冷媒循環量が変化する。
インバータ圧縮機や複数の圧縮機を有する多室形空気調和機では、圧縮機の冷媒循環量を段階ごとに設定している（冷媒循環量のステップを設けている。）。この設定から、運転の状態により圧縮機のステップを変える制御を行っている。（例えば、特許文献１参照。）。
【０００３】
しかし、外気温度が高い状態（例えば５２℃）の冷房運転では冷媒回路内の圧力が異常に高くなっていまう場合がある。容量制御が可能である圧縮機を使用している空気調和機では、高圧圧力センサーや圧力スイッチによる圧力検出から、保護動作の制御を行っている。実例として、設計圧力を超える直前で強制的に圧縮機を停止させるか、高圧圧力がある値を超えた場合に、冷媒循環量を減らす方法がとられる。
しかしながら、前者（圧縮機の強制停止）の方法では圧縮機の停止することで利用者に不快が生じる。また、後者は通常の場合圧縮機の強制停止を回避できるが、システムの据付状況（地域、配管長、高低差など）によっては、負荷の急激な変化に対応できずに頻繁に保護動作が作動する条件が発生するという問題がある。
【０００４】
【特許文献１】
特開平９−１４５１７４号公報（第４−９頁、第４図）。
【０００５】
【発明が解決しようとする課題】
本発明においては、上記の問題点に鑑み、圧縮機の高圧圧力に応じて、能力可変型圧縮機又は複数台の能力一定型圧縮機の組合せから制御される冷媒循環量を減少させることにより、高圧上昇による保護回路の停止動作を少なくなるよう制御する多室形空気調和機の制御方法を提供することを目的とする。
【０００６】
【課題を解決するための手段】
本発明は上記課題を解決するため、少なくとも１台の能力可変型圧縮機もしくは並列に接続された複数台の能力一定型圧縮機と、四方弁と、室外熱交換器と、膨脹弁を備えた室外ユニットと、室内熱交換器と絞り機構を備えた複数の室内ユニットとを接続して冷媒回路を構成し、前記室内ユニットの運転状況に応じて、前記圧縮機の運転能力を可変し、前記冷媒回路内の冷媒循環量を制御してなる多室形空気調和機において、
前記圧縮機の吐出側の圧力を検出する吐出圧力検出手段と、前記冷媒循環量の減少量を予め複数のランクに分け、その減少量を任意に選択できる選択スイッチを設け、冷房運転時に、前記吐出圧力検出手段が検出した高圧圧力が予め設定した設定圧力以上に達した時、前記圧縮機の能力を下げ、冷媒循環量を現在の循環量から、前記選択スイッチで選択した減少分減少させるよう制御してなる構成となっている。
【０００７】
また、前記吐出圧力検出手段に、圧力センサまたは圧力スイッチを用いてなる構成となっている。
【０００８】
また、前記選択スイッチをリモコンにより切換え選択してなる構成となっている。
【０００９】
また、前記複数台の能力一定型圧縮機は、夫々容量が異なる構成となっている。
【００１０】
【発明の実施の形態】
以下、本発明の実施の形態を、添付図面に基づいた実施例として説明する。
図１は本発明による多室形空気調和機の冷媒回路の構成図である。図１において、１は室外に設置された室外ユニット、２ａ，２ｂ，２ｃは夫々並列に接続された３台の室内ユニットである。
【００１１】
前記室外ユニット１は、並列に接続された夫々容量（能力）の異なる一定速型の３台の圧縮機、例えば小容量の圧縮機３ａ、中容量の圧縮機３ｂ、大容量の圧縮機３ｃと、四方弁４と、室外熱交換器５と、膨張弁６とを夫々接続して構成され、また前記室内ユニット２ａ，２ｂ，２ｃは、夫々電子膨張弁７ａ，７ｂ，７ｃと、室内熱交換器８ａ，８ｂ，８ｃとを夫々接続して構成されている。
尚、図中の破線で示す圧縮機は能力可変型圧縮機３’（インバータ圧縮機）を用いた場合の例である。
【００１２】
これら前記室外ユニット１と前記室内ユニット２ａ，２ｂ，２ｃとが第一接続部Ａ１と第二接続部Ａ２を介して冷媒配管により接続され冷媒回路が構成され、前記室内ユニット２ａ，２ｂ，２ｃの運転状況、例えば運転台数などの負荷変動に応じて、前記各圧縮機３ａ，３ｂ，３ｃの運転／停止を夫々組合せ（又は能力可変型圧縮機３’）の運転能力を可変し、前記冷媒回路内の冷媒循環量を制御部９により制御するようなされている。
【００１３】
前記各圧縮機３ａ，３ｂ，３ｃの吐出側合流点ａには吐出冷媒の圧力（高圧）を検出する吐出圧力検出手段としての吐出圧力センサ１０（又は圧力スイッチ１０’  ）が設けられている。
また、前記室外ユニット１の前記制御部９が搭載されている基板内には、前記冷媒循環量の減少量を選択する選択スイッチ９ｄ（図４の制御ブロック図に示す）が設けられている。
【００１４】
上記において、冷房運転時には、図１中実線矢印で示すように、圧縮機３ａ，３ｂ，３ｃで高温高圧となったガス冷媒が、室外熱交換器５に送られ、室外空気との間の熱交換によりガス冷媒が冷却され凝縮し、高温高圧の液冷媒となる。この高温高圧の液冷媒は、膨張弁６において減圧されて低温低圧の液冷媒となる。この低温低圧の液冷媒は、室内熱交換ユニット２ａ，２ｂ，２ｃに送られ、室内空気との間の熱交換により室内空気を冷却するとともに、自身は加温され蒸発して低温低圧のガス冷媒となる。この際、室内熱交換器８ａ，８ｂ，８ｃは液冷媒を蒸発させる蒸発器として機能する。この低温低圧のガス冷媒は、四方弁４を経て圧縮機３ａ，３ｂ，３ｃに戻されて高温高圧のガス冷媒となり、以後この過程が繰り返される。
【００１５】
また暖房運転時においては、破線矢印で示すように、圧縮機３ａ，３ｂ，３ｃを経た冷媒が室内熱交換ユニット２ａ，２ｂ，２ｃに流れるように四方弁４を設定され、室内熱交換ユニット２ａ，２ｂ，２ｃが凝縮器として機能し、室外熱交換器５が蒸発器として機能する以外は冷房運転時と同じである。
【００１６】
図２は前記選択スイッチ９ｄの位置に対する冷媒循環量の下降ランクを示したもので、スイッチＡは現在のステップＮから１ランク落とすことを意味する。また、スイッチＢは２ランク、Ｃは３ランク落とすことを意味する。
尚、スイッチＡは製品の出荷時の位置で、前記吐出圧力センサ１０（又は圧力スイッチ１０’  ）が検出した高圧圧力が予め設定した圧力以上に達した時、現在のステップＮから１ランク冷媒循環量を減少させることである。
また、スイッチＢまたはＣは、利用者またはサービスマンがシステムの据付状況（地域、配管長、高低差など）に応じて，保護回路が頻繁に作動しなように任意に選択できるための選択スイッチ９ｄの位置である。
【００１７】
図３は圧縮機の下降ステップに対する冷媒循環量の減少割合を示したもので、（Ａ）は能力可変型圧縮機を使用した場合で、（Ｂ）は複数台の能力一定型圧縮機を使用した場合で、ステップ０からステップ３まで４段階に分けてある。
【００１８】
次に上記構成において、本発明の制御動作について、図４の制御ブロック図及び図５のフローチャート図に基づいて説明する。
図４において、前記制御部９は、前記圧縮機３ａ，３ｂ，３ｃの吐出側の吐出圧力センサ１０が検出したを検知する吐出圧力検出部９ａと、吐出圧力（高圧圧力）の目標圧力予め設定する圧力設定部９ｂと、前記吐出圧力検出部９ａの高圧圧力ＨＰと前記圧力設定部９ｂの設定圧力Ｐ１とを比較する比較部９ｃと、冷媒循環量の減少割合を手動またはリモコンによりスイッチ切換ぶ１１ろり、予め選択する選択スイッチ９ｄと、冷房運転時に、前記選択スイッチ９ｄのステップにより、前記圧縮機３ａ，３ｂ，３ｃを駆動制御する駆動部９ｅとから構成することにより、吐出圧力センサ１０が検出した高圧圧力ＨＰが設定圧力Ｐ１以上に達した時、選択スイッチ９ｄの位置に応じて、冷媒循環量を減少させて、高圧圧力を低下させ、高圧上昇による高圧保護回路の停止を回避するよう制御する。
【００１９】
図５のフローチャート図において、多室形空気調和機の運転がスタートすると、まず、ステップＳＴ１で冷房運転かどうか判定される。もし冷房運転であれば、ステップＳＴ２で高圧（吐出圧力）ＰＨが予め設定した設定圧力ＰＨ１  以下（圧力スイッチを使用した場合は、設定圧力ＰＨ１  圧力スイッチがＯＮしたかどうか）であるかどうか判断され、以下であれば、ステップＳＴ３で選択スイッチ９ｅがＡかどうか判断される。もしＡであれば、ステップＳＴ４で現在のステップＮから１ランク落としたＮ’＝Ｎ−１の冷媒循環量で運転される。もしＡでなければ、ステップＳＴ５で選択スイッチ９ｅがＢ側かどうか判断され、Ｂ側であればステップＳＴ６で２ランク落としたＮ’＝Ｎ−２の冷媒循環量で運転される。また、Ｂ側でなければステップＳＴ７でＣ側かどうか判断され、Ｃ側であればステップＳＴ８で３ランク落としたＮ’＝Ｎ−３の冷媒循環量で運転され、ステップＳＴ９で夫々リターンしてステップＳＴ１に戻される。
【００２０】
以上に説明したように、
前記圧縮機３ａ，３ｂ，３ｃの吐出側の圧力を検出する吐出圧力センサ１０と、冷媒循環量の減少量を選択する選択スイッチ９ｄを設け、冷房運転時に、前記吐出圧力センサ１０が検出した高圧圧力ＰＨが予め設定した設定圧力ＰＨＩ  以上に達した時、前記圧縮機３ａ，３ｂ，３ｃの組合せ（又はインバータ圧縮機３’）により能力を下げ、冷媒循環量を選択した所定量減少させるよう制御することにより、高圧上昇による保護回路の停止動作を少なくなるよう制御する多室形空気調和機の制御方法となる。
【００２１】
【発明の効果】
以上説明したように、本発明によれば、圧縮機の高圧圧力に応じて、圧縮機の組合せまたはインバータ圧縮機により制御される冷媒循環量を減少させることにより、高圧上昇による保護回路の停止動作を少なくなるよう制御する多室形空気調和機の制御方法となる。
【図面の簡単な説明】
【図１】本発明における多室形空気調和機の制御方法の実施例を示す冷媒回路図である。
【図２】本発明における選択スイッチによる冷媒循環量の減少ランクを表わしたものである。
【図３】本発明における圧縮機のスレップに対する冷媒循環量の減少割合を示したもので、（Ａ）は能力可変型圧縮機を使用した場合で、（Ｂ）は複数台の能力一定型圧縮機を使用した場合である。
【図４】本発明における制御ブロック図である。
【図５】本発明におけるフローチャートである。
【符号の説明】
１  室外ユニット
２ａ、２ｂ、２ｃ  室内ユニット
３ａ、３ｂ、３ｃ  能力一定型圧縮機
３’  能力可変型圧縮機
４  四方弁
５  室外熱交換器
６  膨張弁
７ａ、７ｂ、７ｃ  電子膨張弁
８ａ、８ｂ、８ｃ  室内熱交換器
９  制御部
９ａ  吐出圧力検出部
９ｂ  圧力設定部
９ｃ  比較部
９ｄ  選択スイッチ
９ｅ  駆動部
１０  吐出圧力センサ
１０’  圧力スイッチ
１１    スイッチ切換部
【図１】
2004170032.tif 000003
【図２】
2004170032.tif 000004
【図３】
2004170032.tif 000005
【図４】
2004170032.tif 000006
【図５】
2004170032.tif 000007